(57)【要約】【課題】  過熱器管の腐食を効果的に抑制することができると共に、腐食抑制粒子の使用量を低減することができる腐食抑制装置付きボイラを提供すること。【解決手段】  腐食抑制装置付きボイラ１９において、腐食抑制装置５９は、過熱器管２７の複数のそれぞれの部分Ａ２〜Ｆ２、・・・での腐食の程度を検出して、その腐食の程度と対応する検出信号を生成する複数の腐食センサ３１ａ〜３１ｄと、複数の吹込み口５９ａ〜５９ｆのうちの１又は２以上の所望の吹込み口から第２煙道２１内に所望重量の腐食抑制粒子を吹き込むことができる粒子供給装置６０と、複数の腐食センサ３１が生成する複数のそれぞれの検出信号に基づいて、過熱器管２７の複数のそれぞれの部分Ａ２〜Ｆ２、・・・に対して、各部分での腐食の程度と対応する重量の腐食抑制粒子を供給することができるように、粒子供給装置６０を制御する制御部１００とを備える。【選択図】      図３
2014129914.tif 000002
【特許請求の範囲】
【請求項１】
燃焼排ガスが通る排ガス通路と、
前記排ガス通路内に設けられている過熱器管と、
前記過熱器管の腐食を抑制するための腐食抑制装置とを備える腐食抑制装置付きボイラにおいて、
腐食抑制装置は、
前記排ガス通路に設けられ、前記過熱器管の複数のそれぞれの部分での腐食の程度を検出して、その腐食の程度と対応する検出信号を生成する複数の腐食センサと、
前記過熱器管よりも燃焼排ガスの流れの上流側に設けられている複数の吹込み口を有し、前記複数の吹込み口のうちの１又は２以上の所望の前記吹込み口から前記排ガス通路内に所望重量の腐食抑制粒子を吹き込むことができる粒子供給装置と、
前記複数の腐食センサが生成する複数のそれぞれの前記検出信号に基づいて、前記過熱器管の複数のそれぞれの部分に対して、各部分での腐食の程度と対応する重量の腐食抑制粒子を供給することができるように、前記粒子供給装置を制御する制御部とを備えることを特徴とする腐食抑制装置付きボイラ。
【請求項２】
燃焼排ガスが通る排ガス通路と、
前記排ガス通路内に設けられている過熱器管と、
前記過熱器管の腐食を抑制するための腐食抑制装置とを備える腐食抑制装置付きボイラにおいて、
腐食抑制装置は、
前記排ガス通路に設けられ、前記過熱器管の複数のそれぞれの部分での燃焼排ガス中の腐食性粒子若しくは腐食性ガス又はその両方の濃度を検出して、当該濃度と対応する検出信号を生成する複数の腐食センサと、
前記過熱器管よりも燃焼排ガスの流れの上流側に設けられている複数の吹込み口を有し、前記複数の吹込み口のうちの１又は２以上の所望の前記吹込み口から前記排ガス通路内に所望重量の腐食抑制粒子を吹き込むことができる粒子供給装置と、
前記複数の腐食センサが生成する複数のそれぞれの前記検出信号に基づいて、前記過熱器管の複数のそれぞれの部分に対して、各部分での前記濃度と対応する重量の腐食抑制粒子を供給することができるように、前記粒子供給装置を制御する制御部とを備えることを特徴とする腐食抑制装置付きボイラ。
【請求項３】
前記制御部は、前記過熱器管の腐食の程度が大きい部分、又は腐食性粒子若しくは腐食性ガス又はその両方の濃度が高い部分には、当該部分に供給される腐食抑制粒子の重量を大きくするように、前記粒子供給装置を制御することを特徴とする請求項１又は２に記載の腐食抑制装置付きボイラ。
【請求項４】
前記腐食センサは、前記過熱器管の複数のそれぞれの部分の近傍に設けられていることを特徴とする請求項１乃至３のいずれかに記載の腐食抑制装置付きボイラ。
【請求項５】
前記腐食センサは、
前記吹込み口よりも燃焼排ガスの流れの上流側に設けられている１又は２以上の第１腐食センサと、
前記吹込み口よりも燃焼排ガスの流れの下流側に設けられている複数の第２腐食センサとを有し、
前記制御部は、前記第１腐食センサが生成する第１検出信号に基づいて前記粒子供給装置を制御して、前記１又は２以上の吹込み口から吹き込まれる腐食抑制粒子の第１吹込み重量を設定し、かつ、前記第２腐食センサが生成する第２検出信号に基づいて前記粒子供給装置を制御して、腐食抑制粒子の前記第１吹込み重量を調整することを特徴とする請求項１乃至４のいずれかに記載の腐食抑制装置付きボイラ。
【請求項６】
前記複数の第１腐食センサは、前記過熱器管の複数のそれぞれの部分での腐食の程度と対応する腐食の程度を検出できる所定位置に設けられ、その対応する腐食の程度に応じた検出信号を生成し、
前記制御部は、前記複数の第１腐食センサが生成する複数のそれぞれの前記第１検出信号に基づいて、前記過熱器管の複数のそれぞれの部分に対して、各部分での腐食の程度と対応する重量の腐食抑制粒子を供給することができるように、前記粒子供給装置を制御することを特徴とする請求項５に記載の腐食抑制装置付きボイラ。
【請求項７】
前記複数の第１腐食センサは、前記過熱器管の複数のそれぞれの部分での燃焼排ガス中の腐食性粒子若しくは腐食性ガス又はその両方の濃度と対応する濃度を検出できる所定位置に設けられ、その対応する濃度に応じた第１検出信号を生成し、
前記制御部は、前記複数の第１腐食センサが生成する複数のそれぞれの前記第１検出信号に基づいて、前記過熱器管の複数のそれぞれの部分に対して、各部分での腐食性粒子若しくは腐食性ガス又はその両方の濃度と対応する重量の腐食抑制粒子を供給することができるように、前記粒子供給装置を制御することを特徴とする請求項５に記載の腐食抑制装置付きボイラ。
【請求項８】
腐食抑制粒子は、粒子径が０．１μｍ以上１０μｍ未満であることを特徴とする請求項１乃至７のいずれかに記載の腐食抑制装置付きボイラ。
【請求項９】
燃焼排ガスが通る排ガス通路と、
前記排ガス通路内に設けられている過熱器管と、
前記過熱器管の腐食を抑制するための腐食抑制装置とを備え、
前記腐食抑制装置が、腐食センサ、粒子供給装置、及び制御部を有するボイラの腐食抑制方法において、
複数の腐食センサが、前記過熱器管の複数のそれぞれの部分での腐食の程度を検出して、その腐食の程度と対応する検出信号を生成し、
前記粒子供給装置が、前記過熱器管よりも燃焼排ガスの流れの上流側に設けられている複数の吹込み口のうちの１又は２以上の所望の前記吹込み口から前記排ガス通路内に所望重量の腐食抑制粒子を吹き込むことができ、
前記制御部が、前記複数の腐食センサが生成する複数のそれぞれの前記検出信号に基づいて、前記過熱器管の複数のそれぞれの部分に対して、各部分での腐食の程度と対応する重量の腐食抑制粒子を供給することができるように、前記粒子供給装置を制御することを特徴とするボイラの腐食抑制方法。
【請求項１０】
燃焼排ガスが通る排ガス通路と、
前記排ガス通路内に設けられている過熱器管と、
前記過熱器管の腐食を抑制するための腐食抑制装置とを備え、
前記腐食抑制装置が、腐食センサ、粒子供給装置、及び制御部を有するボイラの腐食抑制方法において、
前記腐食センサが、前記過熱器管の複数のそれぞれの部分での燃焼排ガス中の腐食性粒子若しくは腐食性ガス又はその両方の濃度を検出して、当該濃度と対応する検出信号を生成し、
前記粒子供給装置が、前記過熱器管よりも燃焼排ガスの流れの上流側に設けられている複数の吹込み口のうちの１又は２以上の所望の前記吹込み口から前記排ガス通路内に所望重量の腐食抑制粒子を吹き込むことができ、
前記制御部が、前記複数の腐食センサが生成する複数のそれぞれの前記検出信号に基づいて、前記過熱器管の複数のそれぞれの部分に対して、各部分での前記濃度と対応する重量の腐食抑制粒子を供給することができるように、前記粒子供給装置を制御することを特徴とするボイラの腐食抑制方法。
【発明の詳細な説明】
【技術分野】
【０００１】
本発明は、ボイラの特に過熱器管の腐食を防止するための腐食抑制装置を備える腐食抑制装置付きボイラ、及びボイラの腐食抑制方法に関する。
【背景技術】
【０００２】
従来のボイラとして、燃料を燃焼炉で燃焼させて、その燃焼により発生する燃焼熱や燃焼排ガスが有する熱によって過熱器内の蒸気を過熱して、高温・高圧の過熱蒸気を発生するものがある。この過熱蒸気は、発電に利用することができる。
【０００３】
ここで、近年にあっては、ＣＯ２削減や廃棄物の熱利用の観点から、例えば建設廃材系木質等のバイオマスや、廃タイヤ及び廃プラスチック等の廃棄物をボイラの燃料として活用することが進められている。
【０００４】
このようなバイオマス燃料や廃棄物燃料にあっては、燃料中に、例えばＮａ、Ｋ、Ｃｌ等の塩類や、鉛及び亜鉛等の重金属を含んでいる。従って、燃焼炉での燃焼により、例えば、ＫＣｌ、ＮａＣｌ、ＺｎＣｌ２、Ｋ２ＳＯ４、Ｎａ２ＳＯ４等のうちのいくつかが合わさって、低融点（３００°Ｃ程度）の溶融塩（共晶塩）が生成され、このような溶融塩は、燃焼灰と共に下流側の過熱器に流れていく。この過熱器は、上記発電に利用される高温・高圧の蒸気を生成するものであるから、そのガス温度は、上記溶融塩の融点より高い温度に設定されている。従って、ＫＣｌ、ＮａＣｌ、ＺｎＣｌ２、Ｋ２ＳＯ４、Ｎａ２ＳＯ４等のうちのいくつかが合わさって生成された溶融塩が、３００°Ｃ以上の高温の過熱器を構成する過熱器管の表面に付着することによって、過熱器管が腐食するという問題を生じている。
【０００５】
次に、このように過熱器管が腐食するという問題を解決するための従来のボイラの腐食防止方法の一例について説明する（例えば、特許文献１参照。）。
【０００６】
このボイラの腐食防止方法は、所定量の所定の粒子（腐食防止粒子）を燃焼炉内に供給して、当該腐食防止粒子を、この燃焼炉内で生成される溶融塩の粒子（溶融塩粒子）に混合させるものである。この混合によって、溶融塩粒子は、良好に分散されて、この溶融塩粒子の表面が腐食防止粒子によって取り囲まれた状態となり、溶融塩粒子を腐食防止粒子によって希釈することができる。そして、この希釈された溶融塩粒子が、下流側の過熱器管の表面に付着することになるので、過熱器管の表面に付着する溶融塩粒子の濃度及び接触面積を、腐食防止粒子によって低減することができる。これによって、過熱器管の腐食を抑制しようとするものである。
【０００７】
なお、腐食防止粒子は、その融点が燃焼炉の燃焼温度より高く、燃焼炉及び過熱器付近では溶融しないものであり、かつ、塩素分濃度、Ｎａ濃度、Ｋ濃度、重金属濃度が各々１０００ｐｐｍ以下であって、溶融塩成分を殆ど含まないものである。
【０００８】
そして、腐食防止粒子の平均粒子径は、１０〜２０μｍに規定されている。このように平均粒子径を規定したのは、平均粒子径が２０μｍを越えると、腐食防止粒子が大き過ぎて溶融塩粒子が腐食防止粒子に取り囲まれ難くなると共に、腐食防止粒子が過熱器管に付着し難くなる。また、腐食防止粒子の平均粒子径が１０μｍより小さいと、腐食防止粒子が小さ過ぎて燃焼排ガス流に乗って過熱器管を回り込み、腐食防止粒子が過熱器管に付着し難くなるためと考えられている。
【先行技術文献】
【特許文献】
【０００９】
【特許文献１】特開２００６−３０８１７９号公報
【発明の概要】
【発明が解決しようとする課題】
【００１０】
しかし、上記従来のボイラの腐食防止方法では、過熱器管の表面に付着する溶融塩粒子の濃度及び接触面積を、腐食防止粒子によって低減することによって、過熱器管の腐食を抑制しようとするものであるが、過熱器管の腐食を効果的に抑制するためには、どの程度の重量の腐食防止粒子を燃焼炉内に供給すればよいのか不明である。
【００１１】
従って、腐食防止粒子の燃焼炉内への供給量が過剰であると、腐食防止粒子のコストが嵩むと共に、この腐食防止粒子を含む燃焼灰の処理のためのコストも嵩む。そして、腐食防止粒子の燃焼炉内への供給量が不足すると、過熱器管の腐食を効果的に抑制することができない。
【００１２】
また、腐食防止粒子を燃焼炉内に供給するにしても、腐食防止粒子と溶融塩粒子とが互いに十分に混合するように腐食防止粒子を燃焼炉内に供給する必要があるが、上記公報には、そのような供給方法についての開示はされてはいない。
【００１３】
本発明は、上記のような課題を解決するためになされたものであり、過熱器管の腐食を効果的に抑制することができると共に、腐食抑制粒子の使用量を低減することができる腐食抑制装置付きボイラ及びボイラの腐食抑制方法を提供することを目的としている。
【課題を解決するための手段】
【００１４】
本発明に係る腐食抑制装置付きボイラは、燃焼排ガスが通る排ガス通路と、前記排ガス通路内に設けられている過熱器管と、前記過熱器管の腐食を抑制するための腐食抑制装置とを備える腐食抑制装置付きボイラにおいて、腐食抑制装置は、前記排ガス通路に設けられ、前記過熱器管の複数のそれぞれの部分での腐食の程度を検出して、その腐食の程度と対応する検出信号を生成する複数の腐食センサと、前記過熱器管よりも燃焼排ガスの流れの上流側に設けられている複数の吹込み口を有し、前記複数の吹込み口のうちの１又は２以上の所望の前記吹込み口から前記排ガス通路内に所望重量の腐食抑制粒子を吹き込むことができる粒子供給装置と、前記複数の腐食センサが生成する複数のそれぞれの前記検出信号に基づいて、前記過熱器管の複数のそれぞれの部分に対して、各部分での腐食の程度と対応する重量の腐食抑制粒子を供給することができるように、前記粒子供給装置を制御する制御部とを備えることを特徴とするものである。
【００１５】
この発明に係る腐食抑制装置付きボイラによると、複数の腐食センサは、過熱器管の複数のそれぞれの部分での腐食の程度を検出して、その腐食の程度と対応する検出信号を生成することができる。そして、粒子供給装置は、過熱器管よりも燃焼排ガスの流れの上流側に設けられている複数の吹込み口のうちの１又は２以上の吹込み口から排ガス通路内に腐食抑制粒子を吹き込むことができる。また、制御部は、複数の腐食センサが生成する複数のそれぞれの検出信号に基づいて、過熱器管の複数のそれぞれの部分に対して、各部分での腐食の程度と対応する重量の腐食抑制粒子を供給することができるように、粒子供給装置を制御することができる。
【００１６】
よって、例えば排ガス通路内の腐食性粒子を含む燃焼排ガスの流れに偏流が生じたために、過熱器管の一部が局所的に腐食の程度が大きくなることがあっても、その部分に対して、その部分での腐食の程度と対応する大きい重量の腐食抑制粒子を供給することができる。そして、過熱器管の腐食の程度の小さい部分に対しては、その部分での腐食の程度と対応する小さい重量の腐食抑制粒子を供給することができる。
【００１７】
本発明に係る腐食抑制装置付きボイラにおいて、燃焼排ガスが通る排ガス通路と、前記排ガス通路内に設けられている過熱器管と、前記過熱器管の腐食を抑制するための腐食抑制装置とを備える腐食抑制装置付きボイラにおいて、腐食抑制装置は、前記排ガス通路に設けられ、前記過熱器管の複数のそれぞれの部分での燃焼排ガス中の腐食性粒子若しくは腐食性ガス又はその両方の濃度を検出して、当該濃度と対応する検出信号を生成する複数の腐食センサと、前記過熱器管よりも燃焼排ガスの流れの上流側に設けられている複数の吹込み口を有し、前記複数の吹込み口のうちの１又は２以上の所望の前記吹込み口から前記排ガス通路内に所望重量の腐食抑制粒子を吹き込むことができる粒子供給装置と、前記複数の腐食センサが生成する複数のそれぞれの前記検出信号に基づいて、前記過熱器管の複数のそれぞれの部分に対して、各部分での前記濃度と対応する重量の腐食抑制粒子を供給することができるように、前記粒子供給装置を制御する制御部とを備えることを特徴とするものである。
【００１８】
この発明に係る腐食抑制装置付きボイラによると、複数の腐食センサは、過熱器管の複数のそれぞれの部分での燃焼排ガス中の腐食性粒子若しくは腐食性ガス又はその両方の濃度を検出して、当該濃度と対応する検出信号を生成することができる。そして、粒子供給装置は、過熱器管よりも燃焼排ガスの流れの上流側に設けられている複数の吹込み口のうちの１又は２以上の所望の吹込み口から排ガス通路内に所望重量の腐食抑制粒子を吹き込むことができる。また、制御部は、複数の腐食センサが生成する複数のそれぞれの検出信号に基づいて、過熱器管の複数のそれぞれの部分に対して、各部分での腐食性粒子若しくは腐食性ガス又はその両方の濃度と対応する重量の腐食抑制粒子を供給することができるように、粒子供給装置を制御することができる。
【００１９】
この発明に係る腐食抑制装置付きボイラにおいて、前記制御部は、前記過熱器管の腐食の程度が大きい部分、又は腐食性粒子若しくは腐食性ガス又はその両方の濃度が高い部分には、当該部分に供給される腐食抑制粒子の重量を大きくするように、前記粒子供給装置を制御するものとするとよい。
【００２０】
このようにすると、過熱器管の複数のそれぞれの部分での腐食を効果的に抑制することができる。
【００２１】
この発明に係る腐食抑制装置付きボイラにおいて、前記腐食センサは、前記過熱器管の複数のそれぞれの部分の近傍に設けられているものとするとよい。
【００２２】
このようにすると、過熱器管の複数のそれぞれの部分での腐食の程度、又は燃焼排ガス中の腐食性粒子若しくは腐食性ガス又はその両方の濃度を腐食センサにより正確に検出することができる。
【００２３】
この発明に係る腐食抑制装置付きボイラにおいて、前記腐食センサは、前記吹込み口よりも燃焼排ガスの流れの上流側に設けられている１又は２以上の第１腐食センサと、前記吹込み口よりも燃焼排ガスの流れの下流側に設けられている複数の第２腐食センサとを有し、前記制御部は、前記第１腐食センサが生成する第１検出信号に基づいて前記粒子供給装置を制御して、前記１又は２以上の吹込み口から吹き込む腐食抑制粒子の第１吹込み重量を設定し、かつ、前記第２腐食センサが生成する第２検出信号に基づいて前記粒子供給装置を制御して、腐食抑制粒子の前記第１吹込み重量を調整するものとするとよい。
【００２４】
このようにすると、制御部は、第１腐食センサが生成する第１検出信号に基づいて粒子供給装置を制御して、腐食抑制粒子の第１吹込み重量を設定することができる。つまり、腐食性粒子及び腐食性ガスが含まれる燃焼排ガス中に腐食抑制粒子を混合させる前の状態で、腐食性粒子及び腐食性ガスに基づく腐食の程度を検出することができて、吹き込むことが必要とされる腐食抑制粒子の絶対重量（第１吹込み重量）を得ることが可能であり、過熱器管の腐食を効果的に抑制することができる。そして、制御部は、第２腐食センサが生成する第２検出信号に基づいて、過熱器管の各部分での腐食が実際に効果的に抑制されるように、例えば過熱器管の各部分での腐食が目標腐食進行速度に抑えることができるように、１又は２以上の吹込み口から吹き込まれる腐食抑制粒子のそれぞれの第１吹込み重量を調整することができる。
【００２５】
この発明に係る腐食抑制装置付きボイラにおいて、前記複数の第１腐食センサは、前記過熱器管の複数のそれぞれの部分での腐食の程度と対応する腐食の程度を検出できる所定位置に設けられ、その対応する腐食の程度に応じた検出信号を生成し、前記制御部は、前記複数の第１腐食センサが生成する複数のそれぞれの前記第１検出信号に基づいて、前記過熱器管の複数のそれぞれの部分に対して、各部分での腐食の程度と対応する重量の腐食抑制粒子を供給することができるように、前記粒子供給装置を制御するものとするとよい。
【００２６】
このようにすると、複数の第１腐食センサは、過熱器管の複数のそれぞれの部分での腐食の程度と対応する腐食の程度を検出して、その対応する腐食の程度に応じた第１検出信号を生成することができる。制御部は、複数の第１腐食センサが生成する複数のそれぞれの第１検出信号に基づいて、過熱器管の複数のそれぞれの部分に対して、各部分での腐食の程度と対応する重量の腐食抑制粒子を供給することができるように、粒子供給装置を制御することができる。
【００２７】
この発明に係る腐食抑制装置付きボイラにおいて、前記複数の第１腐食センサは、前記過熱器管の複数のそれぞれの部分での燃焼排ガス中の腐食性粒子若しくは腐食性ガス又はその両方の濃度と対応する濃度を検出できる所定位置に設けられ、その対応する濃度に応じた第１検出信号を生成し、前記制御部は、前記複数の第１腐食センサが生成する複数のそれぞれの前記第１検出信号に基づいて、前記過熱器管の複数のそれぞれの部分に対して、各部分での腐食性粒子若しくは腐食性ガス又はその両方の濃度と対応する重量の腐食抑制粒子を供給することができるように、前記粒子供給装置を制御するものとするとよい。
【００２８】
このようにすると、複数の第１腐食センサは、過熱器管の複数のそれぞれの部分での燃焼排ガス中の腐食性粒子若しくは腐食性ガス又はその両方の濃度と対応する濃度を検出して、その対応する濃度に応じた第１検出信号を生成することができる。制御部は、複数の第１腐食センサが生成する複数のそれぞれの第１検出信号に基づいて、過熱器管の複数のそれぞれの部分に対して、各部分での腐食性粒子若しくは腐食性ガス又はその両方の濃度と対応する重量の腐食抑制粒子を供給することができるように、粒子供給装置を制御することができる。
【００２９】
この発明に係る腐食抑制装置付きボイラにおいて、腐食抑制粒子は、粒子径が０．１μｍ以上１０μｍ未満であるものとするとよい。
【００３０】
このようにすると、粒子供給装置を使用して、粒子径が０．１μｍ以上１０μｍ未満の腐食抑制粒子を、排ガス通路内に吹き込むことによって、この吹き込んだ腐食抑制粒子を過熱器管の金属界面等に対して熱泳動や慣性衝突によって付着させることができる。これによって、排ガス通路内で飛散する粒子径が０．１〜１０μｍの腐食性粒子が、過熱器管の金属界面等に付着する付着重量及び付着面積を減少させることができ、過熱器管の腐食の進行を抑制することができる。
【００３１】
本発明に係るボイラの腐食抑制方法は、燃焼排ガスが通る排ガス通路と、前記排ガス通路内に設けられている過熱器管と、前記過熱器管の腐食を抑制するための腐食抑制装置とを備え、前記腐食抑制装置が、腐食センサ、粒子供給装置、及び制御部を有するボイラの腐食抑制方法において、複数の腐食センサが、前記過熱器管の複数のそれぞれの部分での腐食の程度を検出して、その腐食の程度と対応する検出信号を生成し、前記粒子供給装置が、前記過熱器管よりも燃焼排ガスの流れの上流側に設けられている複数の吹込み口のうちの１又は２以上の所望の前記吹込み口から前記排ガス通路内に所望重量の腐食抑制粒子を吹き込むことができ、前記制御部が、前記複数の腐食センサが生成する複数のそれぞれの前記検出信号に基づいて、前記過熱器管の複数のそれぞれの部分に対して、各部分での腐食の程度と対応する重量の腐食抑制粒子を供給することができるように、前記粒子供給装置を制御することを特徴とするものである。
【００３２】
本発明に係るボイラの腐食抑制方法によると、第１の本発明に係る腐食抑制装置付きボイラと同様の作用を奏することができる。
【００３３】
本発明に係るボイラの腐食抑制方法は、燃焼排ガスが通る排ガス通路と、前記排ガス通路内に設けられている過熱器管と、前記過熱器管の腐食を抑制するための腐食抑制装置とを備え、前記腐食抑制装置が、腐食センサ、粒子供給装置、及び制御部を有するボイラの腐食抑制方法において、前記腐食センサが、前記過熱器管の複数のそれぞれの部分での燃焼排ガス中の腐食性粒子若しくは腐食性ガス又はその両方の濃度を検出して、当該濃度と対応する検出信号を生成し、前記粒子供給装置が、前記過熱器管よりも燃焼排ガスの流れの上流側に設けられている複数の吹込み口のうちの１又は２以上の所望の前記吹込み口から前記排ガス通路内に所望重量の腐食抑制粒子を吹き込むことができ、前記制御部が、前記複数の腐食センサが生成する複数のそれぞれの前記検出信号に基づいて、前記過熱器管の複数のそれぞれの部分に対して、各部分での前記濃度と対応する重量の腐食抑制粒子を供給することができるように、前記粒子供給装置を制御することを特徴とするものである。
【００３４】
本発明に係るボイラの腐食抑制方法によると、第２の本発明に係る腐食抑制装置付きボイラと同様の作用を奏することができる。
【発明の効果】
【００３５】
本発明に係る腐食抑制装置付きボイラ及びボイラの腐食抑制方法によると、過熱器管の複数のそれぞれの部分に対して、各部分での腐食の程度、又は腐食性粒子若しくは腐食性ガス又はその両方の濃度と対応する重量の腐食抑制粒子を供給することができる構成としたので、過熱器管の腐食を効果的に抑制することができると共に、腐食抑制粒子の使用量を低減することができる。これによって、腐食抑制粒子に掛かるコスト、及びこの腐食抑制粒子を含む燃焼灰の処理のためのコストを低減することができる。
【図面の簡単な説明】
【００３６】
【図１】この発明の第１実施形態に係る腐食抑制装置付きボイラの内部構造を示す概略斜視図である。
【図２】図１に示す腐食抑制装置付きボイラの内部構造を示す概略断面である。
【図３】図１に示す腐食抑制装置付きボイラの内部構造を示す概略部分拡大斜視図である。
【図４】同第１実施形態に係る同ボイラの制御構成を示すブロック図である。
【図５】同発明の第２及び第３実施形態に係る同ボイラの制御構成を示すブロック図である。
【発明を実施するための形態】
【００３７】
以下、本発明に係る腐食抑制装置付きボイラ１９及びボイラの腐食抑制方法の第１実施形態を、図１〜図４を参照して説明する。図１及び図２に示す腐食抑制装置付きボイラ（以下、単に「ボイラ」と言うこともある。）１９は、燃料を燃焼炉１０で燃焼させて、その燃焼により発生する燃焼熱や燃焼排ガスが有する熱によって過熱器管２７内の蒸気を過熱して、高温・高圧の過熱蒸気を発生することができるものである。
【００３８】
そして、このボイラ１９には、腐食抑制装置５９が設けられており、この腐食抑制装置５９が、腐食抑制粒子を第２煙道２１内に吹き込むことによって、この下流側に設けられている過熱器管２７の腐食を抑制することができるようになっている。また、このボイラ１９は、燃焼炉１０としての例えばごみ焼却炉を適用している排熱ボイラであり、更に、過熱器管２７を通して得られる高温・高圧の過熱蒸気を利用して発電を行う発電機１１を備えている。
【００３９】
ごみ焼却炉（燃焼炉）１０は、図１及び図２に示すように、ごみを供給するホッパ１２を備えている。ホッパ１２は、シュート１３を介して主燃焼室１４に繋がっており、ホッパ１２から供給されたごみは、シュート１３を通って主燃焼室１４に送られる。主燃焼室１４には、乾燥ストーカ１５、燃焼ストーカ１６及び後燃焼ストーカ１７が設けられている。各ストーカ１５、１６、１７の下方から一次空気が送られており、また主燃焼室１４の天井１４ａから二次空気が送られている。
【００４０】
図１に示す主燃焼室１４のごみは、まず乾燥ストーカ１５に送られ、一次空気及び主燃焼室１４の輻射熱により乾燥され着火される。着火したごみは、燃焼ストーカ１６に送られる。また着火したごみからは、熱分解により可燃性ガスを発生する。この可燃性のガスは、一次空気により主燃焼室１４の上部のガス層に送られ、このガス層にて二次空気と共に炎燃焼する。この炎燃焼に伴う熱輻射によりごみは、更に昇温される。着火したごみの一部は、燃焼ストーカ１６にて燃焼し、残りの未燃焼分は、後燃焼ストーカ１７へと送られる。未燃焼分のごみは、後燃焼ストーカ１７で燃焼させられ、燃焼後に残った焼却灰は、シュート１８から外部へと排出される。
【００４１】
また、主燃焼室１４は、図１に示すように、このボイラ１９が備えている放射室２０に接続されており、ごみの燃焼により生じた燃焼排ガスが、主燃焼室１４から放射室２０に送られてくる。この燃焼排ガスは、ボイラ１９の第２煙道２１を通って第３煙道２２へと導かれ、その後、図示しない排ガス処理設備で無害化の処理が成されてから大気に放出される。
【００４２】
この図１に示すボイラ１９には、放射室２０及び第２煙道２１を規定する壁の各々に、ボイラドラム２４に接続された複数の水管２３が設けられている。水管２３は、例えば炭素鋼（例えば、ＳＴＢ３４０）で形成され、その中にボイラドラム２４から送られてくる水が流れている。水管２３内の水は、第１又は第２煙道２０，２１の廃熱を回収して、その一部が蒸発して汽水となりボイラドラム２４へと戻される。ボイラドラム２４に戻った汽水は、一部が気化して蒸気となっている。蒸気は、ボイラドラム２４から第３煙道２２に設けられた過熱器２５へと送られて、過熱される。このように過熱されて高温高圧となった過熱蒸気は、タービン２６へと送られ、発電機１１を駆動する。
【００４３】
上記のように構成されたボイラ１９によると、燃焼時に蒸発した成分や焼却灰の一部が燃焼排ガスにより舞い上がったものが放射室２０及び第２煙道２１、並びに第３煙道２２へと運ばれる、そして水管２３及び過熱器２５の過熱器管２７に付着して堆積する。焼却灰は、高い腐食性を有している溶融塩を含むため、高温の過熱器２５の過熱器管２７を腐食させる要因となっている。
【００４４】
次に、腐食抑制装置５９について説明する。この腐食抑制装置５９は、図１に示す過熱器管２７の腐食を抑制するための装置であり、複数の腐食センサ３１（３１ａ、３１ｂ、３１ｃ、３１ｄ）と、粒子供給装置６０と、制御部１００とを備えている。
【００４５】
腐食センサ３１は、図３に示すように、ボイラ１９の第３煙道２２の側壁部であって、過熱器２５よりも燃焼排ガスの流れ方向の上流側に設けられ、先端の検出部が第３煙道２２内に位置している。この腐食センサ３１は、図示しないが、第３煙道２２内に設けられた一対の電極を有し、この一対の電極間の電気抵抗の変化に基づいて過熱器管２７の腐食の程度を検出して、その腐食の程度と対応する腐食検出信号を生成するようになっている。
【００４６】
なお、腐食センサ３１は、過熱器２５のうち最も腐食が激しい（最も蒸気温度が高い）過熱器管２７群の近傍に設けるとよい。
【００４７】
また、腐食センサ３１ａ〜３１ｄは、例えば図３に示すように、断面が矩形の第３煙道２２の４つの各隅角部に近い位置に、１つずつ合計４つ分散して設けられている。腐食センサ３１ａ〜３１ｄがこのように分散して配置されていることによって、過熱器管２７が設置されている空間（腐食環境）の複数のそれぞれの部分Ａ２、Ｂ２、Ｃ２、Ｄ２、Ｅ２、Ｆ２、・・・での腐食の程度を検出して、その腐食の程度と対応する腐食検出信号を生成することができるようになっている。
【００４８】
つまり、例えば図３に矢印６１で示す燃焼排ガスに含まれる腐食性粒子及び腐食性ガス（以下、単に「腐食性粒子等」と言うこともある。）の流れが、第３煙道２２内の部分Ａ１、Ｂ１、Ｃ１、Ｄ１、Ｅ１、Ｆ１、・・・のうちの一部（例えば部分Ａ１）に偏って流れているときは、腐食センサ３１ａが生成する腐食検出信号の値が大きく、腐食センサ３１ｂ、３１ｃ、３１ｄが生成する腐食検出信号の値がそれよりも小さい値となっている。そして、このように腐食性粒子の流れが、第３煙道２２内の部分Ａ１に偏って流れているときは、その腐食性粒子の流れの下流に位置する過熱器管２７の部分Ａ２の腐食の進行速度が大きくなり、それ以外の部分での腐食の進行速度がそれよりも小さくなる。
【００４９】
このように、腐食センサ３１ａ〜３１ｄは、過熱器管２７が設置されている空間（腐食環境）の複数のそれぞれの部分Ａ２、Ｂ２、Ｃ２、Ｄ２、Ｅ２、Ｆ２、・・・での腐食の程度を検出して、その腐食の程度と対応する腐食検出信号を生成することができるようになっている。
【００５０】
ただし、４つの腐食センサ３１ａ〜３１ｄを設けた例を示したが、４つ以外の複数の腐食センサを設けてもよい。
【００５１】
そして、腐食センサ３１ａ〜３１ｄは、過熱器管２７が設置されている空間（腐食環境）の複数のそれぞれの部分Ａ２、Ｂ２、Ｃ２、Ｄ２、Ｅ２、Ｆ２、・・・での腐食の程度を検出するものとしたが、これに代えて、過熱器管２７自体の複数のそれぞれの部分での腐食の程度を直接に検出するものとしてもよい。
【００５２】
粒子供給装置６０は、例えば図３に示すように、腐食抑制粒子を吹き込むことができる６つの吹込み口５９ａ〜５９ｆを備えている。この６つの吹込み口５９ａ〜５９ｆは、断面が矩形の第２煙道２１を形成する互いに対向して設けられている側壁部に３つずつ設けられている。そして、粒子供給装置６０は、この６つの吹込み口５９ａ〜５９ｆのうちの１又は２以上の所望の吹込み口から第２煙道２１内に所望重量の腐食抑制粒子を吹き込むことができるように構成されている。そして、これら６つのそれぞれの吹込み口５９ａ〜５９ｆには、図４に示す第１〜第６粒子供給部６０ａ〜６０ｆが設けられている。これら第１〜第６粒子供給部６０ａ〜６０ｆは、例えば粒子供給フィーダである。
【００５３】
ただし、６つの吹込み口５９ａ〜５９ｆを設けた例を示したが、６つ以外の複数の吹込み口を設け、これらそれぞれの吹込み口に対して粒子供給部を設けてもよい。
【００５４】
制御部１００は、４つの腐食センサ３１ａ〜３１ｄが生成する４つのそれぞれの腐食検出信号に基づいて、過熱器管２７の複数のそれぞれの部分Ａ２、Ｂ２、Ｃ２、Ｄ２、Ｅ２、Ｆ２、・・・に対して、各部分での腐食の程度と対応する重量の腐食抑制粒子を供給することができるように、粒子供給装置６０を制御するように構成されている。これら制御部１００、腐食センサ３１ａ〜３１ｄ、及び第１〜第６粒子供給部６０ａ〜６０ｆ（粒子供給装置６０）は、図４のブロック図に示すように電気的に接続されている。
【００５５】
つまり、上記のように、例えば図３に矢印６１で示す燃焼排ガスに含まれる腐食性粒子の流れが、第３煙道２２内の一部（例えばＡ１部分）に偏って流れているときは、その流れと相関関係を有する流れが、第２煙道２１内の６つの吹込み口５９ａ〜５９ｆが設けられている部分でも起こっている。従って、制御部１００は、４つの腐食センサ３１ａ〜３１ｄが生成する４つのそれぞれの腐食検出信号に基づいて第１〜第６粒子供給部６０ａ〜６０ｆ（粒子供給装置６０）を制御して、６つの吹込み口５９ａ〜５９ｆのうちの１又は２以上の所定の吹込み口から第２煙道２１内に所定重量の腐食抑制粒子を吹き込むことによって、過熱器管２７の複数のそれぞれの部分Ａ２、Ｂ２、Ｃ２、Ｄ２、Ｅ２、Ｆ２、・・・に対して、各部分での腐食の程度と対応する重量の腐食抑制粒子を供給することができる。
【００５６】
ただし、４つの腐食センサ３１ａ〜３１ｄが生成する４つのそれぞれの腐食検出信号に基づいて第１〜第６粒子供給部６０ａ〜６０ｆ（粒子供給装置６０）を制御して、６つの吹込み口５９ａ〜５９ｆのうちの１又は２以上の所定の吹込み口から第２煙道２１内に所定重量の腐食抑制粒子を吹き込むことは、予め実験やシミュレーションによって解明されており、その内容は、制御部に設けられている記憶部に記録されている。よって、制御部１００は、この記憶部に記憶されているプログラムに従って第１〜第６粒子供給部６０ａ〜６０ｆ（粒子供給装置６０）を制御するようになっている。
【００５７】
次に、腐食抑制粒子について説明する。この腐食抑制粒子は、粒子径が０．１μｍ以上１０μｍ未満の粒子であって、Ｃａ、Ｓｉ、Ａｌ、Ｍｇ及びＦｅのうち少なくとも１つの元素を主成分とする化合物であり、例えばＣａＯ、ＳｉＯ２である。更に、腐食抑制粒子の具体例として、例えばけい砂、珪藻土、ドロマイト、ゼオライトがある。
【００５８】
そして、この腐食抑制粒子は、融点が８００℃以上である。粒子供給装置６０がこの腐食抑制粒子を吹き込む領域は、この腐食抑制粒子が吹き込まれた領域の燃焼排ガスによって、腐食抑制粒子が溶融しないガス温度の領域である。つまり、この実施形態では、腐食抑制粒子を第２煙道２１内に吹き込むようにしてあり、この第２煙道２１は、その内側を流れる燃焼排ガスのガス温度が８００℃よりも低い領域である。
【００５９】
更に、この実施形態では、水に腐食抑制粒子を混合して得られたスラリー状の混合物質、又は腐食抑制粒子よりも粒子径が大きい粉体（例えば焼却灰）に腐食抑制粒子を混合して得られた粉状の混合物質を、粒子供給装置６０を使用して第２煙道２１内に吹き込むようにしている。
【００６０】
次に、上記のように構成された腐食抑制装置付きボイラ１９の作用について説明する。この実施形態に係る腐食抑制装置付きボイラ１９によると、図３に示す例えば４つの腐食センサ３１ａ〜３１ｄは、過熱器管２７が設置されている空間（腐食環境）の複数のそれぞれの部分Ａ２、Ｂ２、Ｃ２、Ｄ２、Ｅ２、Ｆ２、・・・での腐食の程度を検出して、その腐食の程度と対応する腐食検出信号を生成することができる。
【００６１】
そして、粒子供給装置６０は、過熱器管２７よりも燃焼排ガスの流れの上流側に設けられている例えば６つの吹込み口５９ａ〜５９ｆのうちの１又は２以上の吹込み口から第２煙道２１内に腐食抑制粒子を吹き込むことができる。
【００６２】
また、制御部１００は、４つの腐食センサ３１ａ〜３１ｄが生成する４つのそれぞれの腐食検出信号に基づいて、過熱器管２７の複数のそれぞれの部分Ａ２、Ｂ２、Ｃ２、Ｄ２、Ｅ２、Ｆ２、・・・に対して、各部分での腐食の程度と対応する重量の腐食抑制粒子を供給することができるように、粒子供給装置６０を制御することができる。
【００６３】
よって、例えば第２及び第３煙道２１、２２（排ガス通路）内の腐食性粒子を含む燃焼排ガスの流れに偏流が生じたために、過熱器管２７の一部（部分Ａ２、Ｂ２、Ｃ２、Ｄ２、Ｅ２、Ｆ２、・・・のうちの一部）が局所的に腐食の程度が大きくなることがあっても、その部分に対して、その部分での腐食の程度と対応する大きい重量の腐食抑制粒子を供給することができる。そして、過熱器管２７の腐食の程度の小さい部分に対しては、その部分での腐食の程度と対応する小さい重量の腐食抑制粒子を供給することができる。
【００６４】
そして、このように、過熱器管２７の各部分Ａ２、Ｂ２、Ｃ２、Ｄ２、Ｅ２、Ｆ２、・・・に対して、その部分での腐食の程度と対応する重量の腐食抑制粒子を供給することができるので、その後流側に設けられている過熱器管２７の他の部分の腐食も抑制することができる。
【００６５】
従って、過熱器管２７の腐食を効果的に抑制することができると共に、腐食抑制粒子の使用量を低減することができる。これによって、腐食抑制粒子に掛かるコスト、及びこの腐食抑制粒子を含む燃焼灰の処理のためのコストを低減することができる。
【００６６】
そして、図３に示すように、４つの腐食センサ３１ａ〜３１ｄは、過熱器管２７の複数のそれぞれの部分Ａ２、Ｂ２、Ｃ２、Ｄ２の近傍であってその上流側位置に設けられているので、過熱器管２７の複数のそれぞれの部分Ａ２、Ｂ２、Ｃ２、Ｄ２、Ｅ２、Ｆ２、・・・での腐食の程度を腐食センサ３１ａ〜３１ｄにより正確に検出することができる。
【００６７】
次に、本発明に係る腐食抑制装置付きボイラ及びボイラの腐食抑制方法の第２実施形態を、図３及び図５を参照して説明する。この腐食抑制装置付きボイラは、図３に示すように、腐食センサ３１として、吹込み口５９ａ〜５９ｆよりも燃焼排ガスの流れの上流側の放射室２０に設けられている１又は２以上の例えば４つの第１腐食センサ３１ｅ〜３１ｈと、吹込み口５９ａ〜５９ｆよりも燃焼排ガスの流れの下流側の第３煙道２２に設けられている複数の第２腐食センサ３１ａ〜３１ｄとを有している。これら第１及び第２腐食センサ３１ｅ〜３１ｈ、３１ａ〜３１ｄは、第１実施形態のものと同等のものである。
【００６８】
制御部１００は、第１腐食センサ３１ｅ〜３１ｈが生成する第１腐食検出信号に基づいて粒子供給装置６０を制御して、１又は２以上の吹込み口５９ａ〜５９ｆから吹き込まれる腐食抑制粒子の第１吹込み重量を設定し、かつ、第２腐食センサ３１ａ〜３１ｄが生成する第２腐食検出信号に基づいて粒子供給装置６０を制御して、腐食抑制粒子の第１吹込み重量を調整（補正）することができるものである。
【００６９】
これ以外は、第１実施形態と同等であり、同等部分の詳細な説明を省略する。
【００７０】
このようにすると、制御部１００は、第１腐食センサ３１ｅ〜３１ｈが生成する第１腐食検出信号に基づいて粒子供給装置６０を制御して、腐食抑制粒子の第１吹込み重量を設定することができる。
【００７１】
つまり、腐食性粒子及び腐食性ガスが含まれる燃焼排ガス中に腐食抑制粒子を混合させる前の状態で、腐食性粒子及び腐食性ガスに基づく腐食の程度を検出することができて、吹込み口５９ａ〜５９ｆから吹き込むことが必要とされる腐食抑制粒子のそれぞれの絶対重量（第１吹込み重量）を得ることが可能であり、過熱器管２７の腐食を効果的に抑制することができる。
【００７２】
そして、制御部１００は、第１実施形態で説明したように、第２腐食センサ３１ａ〜３１ｄが生成する第２腐食検出信号に基づいて、過熱器管２７の各部分Ａ２、Ｂ２、Ｃ２、Ｄ２、Ｅ２、Ｆ２、・・・での腐食が実際に効果的に抑制されるように、例えば過熱器管２７の各部分Ａ２、Ｂ２、Ｃ２、Ｄ２、Ｅ２、Ｆ２、・・・での腐食が目標腐食進行速度に抑えることができるように、１又は２以上の吹込み口５９ａ〜５９ｆから吹き込まれる腐食抑制粒子のそれぞれの第１吹込み重量を調整（補正）することができる。
【００７３】
次に、本発明に係る腐食抑制装置付きボイラ及びボイラの腐食抑制方法の第３実施形態を、図３及び図５を参照して説明する。この腐食抑制装置付きボイラは、図３に示すように、例えば４つの第１腐食センサ３１ｅ〜３１ｈが、過熱器管２７が設置されている空間（腐食環境）の複数のそれぞれの部分Ａ２、Ｂ２、Ｃ２、Ｄ２、Ｅ２、Ｆ２、・・・での腐食の程度と対応する腐食の程度を検出できる所定位置に設けられ、その対応する腐食の程度に応じた腐食検出信号を生成することができるように設けられている。
【００７４】
つまり、例えば図３に矢印６１で示す燃焼排ガスに含まれる腐食性粒子及び腐食性ガスの流れが、第３煙道２２内の一部（例えば部分Ａ１）に偏って流れているときは、その流れと相関関係を有する流れが、放射室２０内の４つの第１腐食センサ３１ｅ〜３１ｈが設けられている部分でも起こっている。
【００７５】
制御部１００は、４つの第１腐食センサ３１ｅ〜３１ｈが生成する４つのそれぞれの第１腐食検出信号に基づいて第１〜第６粒子供給部６０ａ〜６０ｆ（粒子供給装置６０）を制御して、６つの吹込み口５９ａ〜５９ｆのうちの１又は２以上の所定の吹込み口から第２煙道２１内に所定重量（第１吹込み重量）の腐食抑制粒子を吹き込むことによって、過熱器管２７の複数のそれぞれの部分Ａ２、Ｂ２、Ｃ２、Ｄ２、Ｅ２、Ｆ２、・・・に対して、各部分での腐食の程度と対応する重量の腐食抑制粒子を供給することができる。
【００７６】
これ以外は、第２実施形態と同等であり、同等部分の詳細な説明を省略する。
【００７７】
この腐食抑制装置付きボイラ等によると、４つの第１腐食センサ３１ｅ〜３１ｈは、過熱器管２７が設置されている空間（腐食環境）の複数のそれぞれの部分Ａ２、Ｂ２、Ｃ２、Ｄ２、Ｅ２、Ｆ２、・・・での腐食の程度と対応する腐食の程度を検出して、その対応する腐食の程度に応じた第１腐食検出信号を生成することができる。
【００７８】
そして、制御部１００は、４つの第１腐食センサ３１ｅ〜３１ｈが生成する４つのそれぞれの第１腐食検出信号に基づいて、過熱器管２７の複数のそれぞれの部分Ａ２、Ｂ２、Ｃ２、Ｄ２、Ｅ２、Ｆ２、・・・に対して、各部分での腐食の程度と対応する重量の腐食抑制粒子を供給することができるように、粒子供給装置６０を制御することができる。
【００７９】
次に、腐食抑制粒子の作用について説明する。腐食抑制粒子は、粒子径が０．１μｍ以上１０μｍ未満であるものを使用している。
【００８０】
このように、粒子径が０．１μｍ以上１０μｍ未満の腐食抑制粒子を、例えば第２煙道２１内に吹き込むことによって、この吹き込んだ腐食抑制粒子を過熱器管２７の金属界面等に対して熱泳動や慣性衝突によって付着させることができる。これによって、排ガス通路内で飛散する粒子径が０．１〜１０μｍの腐食性粒子が、過熱器管２７の金属界面等に付着する付着重量及び付着面積を減少させることができ、過熱器管２７の腐食の進行を抑制することができる。
【００８１】
以下に、粒子径が０．１μｍ以上１０μｍ未満の腐食抑制粒子を、例えば第２煙道２１内に吹き込むことによって、過熱器管２７の腐食の進行を抑制することができるメカニズムについて説明する。
【００８２】
本願の発明者は、図１に示すボイラ１９の第３煙道２２内に飛散する粒子径が０．１〜１０μｍであり、かつ、ＮａやＫの塩化物（例えばＮａＣｌ、ＫＣｌ）を含む腐食性粒子（酸化剤としての溶融塩粒子）が、第３煙道２２内に設けられている過熱器管２７の表面に付着することによって、過熱器管２７の腐食が進行することを究明した。
【００８３】
そこで、当該腐食性粒子と同程度の粒子径（０．１μｍ以上１０μｍ未満）の腐食抑制粒子を、例えば第２煙道２１内に吹き込んで過熱器管２７の表面に付着させることによって、燃焼灰に含まれている粒子径が０．１〜１０μｍの腐食性粒子が過熱器管２７の表面に付着する付着重量及び付着面積を小さくして、過熱器管２７の腐食の進行を抑制するようにした。
【００８４】
更に、この腐食抑制粒子による腐食抑制メカニズムについて詳しく説明する。
（１）粒子径が０．１〜２μｍの腐食性粒子について
粒子径が０．１〜２μｍの腐食性粒子は、主として熱泳動によって前記過熱器管２７の金属界面等に付着する。そして、第３煙道２２内を飛散する粒子のうち、粒子径が０．１〜２μｍの粒子は、ＮａやＫの塩化物を含む当該腐食性粒子が中心となって多く存在しており、当該腐食性粒子は、高い腐食力を有している。
【００８５】
従って、これらの腐食性粒子が、過熱器管２７の金属界面等に付着することによって腐食が生じる。
【００８６】
そこで、この実施形態の腐食抑制装置付きボイラ１９によると、腐食抑制装置５９（図１には、腐食抑制装置５９の吹込み口５９ａ〜５９ｆのうちの吹込み口５９ａを示している。）を使用して、粒子径が０．１μｍ以上１０μｍ未満の腐食抑制粒子を、第２煙道２１内に吹き込むことによって、この吹き込んだ腐食抑制粒子を、第３煙道２２内に設けられている過熱器管２７の金属界面等に対して熱泳動によって付着させることができる。これによって、第３煙道２２内の粒子径が０．１〜２μｍの腐食性粒子が、過熱器管２７の金属界面等に付着する付着重量及び付着面積を減少させることができ、過熱器管２７の腐食の進行を抑制することができる。
（２）粒子径が２〜１０μｍの腐食性粒子について
粒子径が２〜１０μｍの腐食性粒子は、過熱器管２７の金属界面等に対して熱泳動によって付着するものもあるが、それよりも慣性衝突によって過熱器管２７の金属界面等に付着するものが中心となって多く存在している。
【００８７】
そして、第３煙道２２内に飛散する粒子（燃焼灰）のうち、粒子径が２〜１０μｍの粒子には、ＮａやＫの塩化物を含む当該腐食性粒子よりも腐食抑制粒子を多く含んでいるために、過熱器管２７に対する腐食力は、前記（１）の場合よりも小さいと言える。
【００８８】
また、腐食が進行するには、腐食性粒子が過熱器管２７の金属界面等に連続的に付着することが必要であるが、粒子供給装置６０を使用して、粒子径が０．１μｍ以上１０μｍ未満の腐食抑制粒子を、第２煙道２１内に吹き込んで、この吹き込んだ腐食抑制粒子が過熱器管２７の金属界面等に対して慣性衝突や熱泳動によって付着すると、この過熱器管２７の金属界面等に慣性衝突等によって付着する腐食性粒子が、過熱器管２７の金属界面にまで拡散して付着することを抑制することができる。これによって、過熱器管２７の腐食の進行を抑制することができる。
（３）粒子径が１０μｍ以上の腐食抑制粒子について（この実施形態から除外される腐食抑制粒子）
粒子供給装置６０を使用して、粒子径が１０μｍ以上の腐食抑制粒子を、第２煙道２１内に吹き込むことによって、この吹き込んだ腐食抑制粒子を過熱器管２７の金属界面等に付着させた場合は、粒子径が１０μｍ以上の腐食抑制粒子どうしの隙間から粒子径が０．１〜１０μｍの腐食性粒子が入り込んで、過熱器管２７の金属界面等に付着してしまう可能性が大きい。よって、粒子径が１０μｍ以上の腐食抑制粒子を使用すると、過熱器管２７の腐食を殆ど抑制することはできない。
【００８９】
従って、この実施形態では、粒子径が０．１〜１０μｍの腐食性粒子と同程度の粒子径（０．１μｍ以上１０μｍ未満）の腐食抑制粒子を、第２煙道２１内に吹き込んで過熱器管２７の表面に付着させることによって、０．１〜１０μｍの腐食性粒子が過熱器管２７の表面に付着する付着重量及び付着面積を小さくして、過熱器管２７の腐食の進行を抑制するようにした。
【００９０】
ただし、上記各実施形態では、図３に示す複数の各第１及び第２腐食センサ３１は、過熱器管２７が設置されている空間（腐食環境）の複数のそれぞれの部分Ａ２、Ｂ２、Ｃ２、Ｄ２、Ｅ２、Ｆ２、・・・での腐食の程度（又は腐食の程度と対応する腐食の程度）を検出して、その腐食の程度と対応する（又はその腐食の程度と対応する腐食の程度に応じた）腐食検出信号を生成するものとし、制御部１００は、複数の腐食センサ３１が生成する複数のそれぞれの腐食検出信号に基づいて、過熱器管２７の複数のそれぞれの部分Ａ２、Ｂ２、Ｃ２、Ｄ２、Ｅ２、Ｆ２、・・・に対して、各部分での腐食の程度と対応する（又は腐食の程度と対応する腐食の程度に応じた）重量の腐食抑制粒子を供給することができるように、粒子供給装置６０を制御する構成としたが、これに代えて、以下の構成としてもよい。
【００９１】
つまり、図３に示す第１及び第２腐食センサ３１は、過熱器管２７の複数のそれぞれの部分Ａ２、Ｂ２、Ｃ２、Ｄ２、Ｅ２、Ｆ２、・・・での燃焼排ガス中の腐食性粒子若しくは腐食性ガス又はその両方の濃度（又は濃度と対応する濃度）を検出して、当該濃度と対応する（又は濃度と対応する濃度に応じた）濃度検出信号を生成するものとし、制御部１００は、複数の腐食センサ３１が生成する複数のそれぞれの濃度検出信号に基づいて、過熱器管２７の複数のそれぞれの部分Ａ２、Ｂ２、Ｃ２、Ｄ２、Ｅ２、Ｆ２、・・・に対して、各部分での前記濃度と対応する（又は濃度と対応する濃度に応じた）重量の腐食抑制粒子を供給することができるように、粒子供給装置６０を制御する構成である。
【００９２】
なお、上記腐食センサ３１は、例えば粒子濃度センサ、ガス濃度センサ、又はガス粒子濃度センサである。このガス粒子濃度センサは、腐食性粒子及び腐食性ガスの両方の濃度を検出するセンサである。
【００９３】
このようにすると、濃度検出用の複数の第１及び第２腐食センサ３１は、過熱器管２７の複数のそれぞれの部分Ａ２、Ｂ２、Ｃ２、Ｄ２、Ｅ２、Ｆ２、・・・での燃焼排ガス中の腐食性粒子等の前記濃度（又は濃度と対応する濃度）を検出して、当該腐食性粒子等の前記濃度と対応する（又は濃度と対応する濃度に応じた）濃度検出信号を生成することができる。そして、粒子供給装置６０は、過熱器管２７よりも燃焼排ガスの流れの上流側に設けられている複数の例えば６つの吹込み口５９ａ〜５９ｆのうちの１又は２以上の所望の吹込み口から第２煙道２１内に所望重量の腐食抑制粒子を吹き込むことができる。また、制御部１００は、複数の腐食センサ３１が生成する複数のそれぞれの濃度検出信号に基づいて、過熱器管２７の複数のそれぞれの部分Ａ２、Ｂ２、Ｃ２、Ｄ２、Ｅ２、Ｆ２、・・・に対して、各部分での腐食性粒子等の前記濃度と対応する（又は濃度と対応する濃度に応じた）重量の腐食抑制粒子を供給することができるように、粒子供給装置６０を制御することができる。
【００９４】
そして、上記実施形態と同様に、図３に示すように、４つの濃度測定用の腐食センサ３１ａ〜３１ｄを、例えば過熱器管２７の複数のそれぞれの部分Ａ２、Ｂ２、Ｃ２、Ｄ２の近傍であってその上流側位置に設けることによって、過熱器管２７の複数のそれぞれの部分Ａ２、Ｂ２、Ｃ２、Ｄ２、Ｅ２、Ｆ２、・・・での燃焼排ガス中の腐食性粒子等の前記濃度を濃度測定用の腐食センサ３１ａ〜３１ｄにより正確に検出することができる。
【００９５】
また、４つの濃度測定用の第２腐食センサ３１ａ〜３１ｄを、例えば過熱器管２７の複数のそれぞれの部分Ａ２、Ｂ２、Ｃ２、Ｄ２の近傍であってその上流側位置に設けることによって、４つの腐食測定用の第２腐食センサ３１ａ〜３１ｄを設けた場合と同様に、制御部１００は、第２腐食センサ３１ａ〜３１ｄが生成する第２濃度検出信号に基づいて、過熱器管２７の各部分Ａ２、Ｂ２、Ｃ２、Ｄ２、Ｅ２、Ｆ２、・・・での腐食が実際に効果的に抑制されるように、つまり例えば過熱器管２７の各部分Ａ２、Ｂ２、Ｃ２、Ｄ２、Ｅ２、Ｆ２、・・・での腐食が目標腐食進行速度に抑えることができるように、１又は２以上の吹込み口５９ａ〜５９ｆから吹き込まれる腐食抑制粒子のそれぞれの吹込み重量を調整することができる。
【産業上の利用可能性】
【００９６】
以上のように、本発明に係る腐食抑制装置付きボイラ及びボイラの腐食抑制方法は、過熱器管の腐食を効果的に抑制することができると共に、腐食抑制粒子の使用量を低減することができる優れた効果を有し、このような腐食抑制装置付きボイラ及びボイラの腐食抑制方法に適用するのに適している。
【符号の説明】
【００９７】
１０  燃焼炉（ごみ焼却炉）
１１  発電機
１２  ホッパ
１３  シュート
１４  主燃焼室
１４ａ  天井
１５  乾燥ストーカ
１６  燃焼ストーカ
１７  後燃焼ストーカ
１８  シュート
１９  ボイラ
２０  放射室
２１  第２煙道
２２  第３煙道
２３  水管
２４  ボイラドラム
２５  過熱器
２６  タービン
２７  過熱器管
３１  腐食センサ
３１ａ〜３１ｄ  第２腐食センサ
３１ｅ〜３１ｈ  第１腐食センサ
５９  腐食抑制装置
５９ａ〜５９ｆ  吹込み口
６０  粒子供給装置
６０ａ〜６０ｆ  第１〜第６粒子供給部
６１  矢印
１００  制御部
【図１】
2014129914.tif 000003
【図２】
2014129914.tif 000004
【図３】
2014129914.tif 000005
【図４】
2014129914.tif 000006
【図５】
2014129914.tif 000007